(57)【要約】【課題】  濃度パターンに基づいてレーザＰＷＭの成長方向や成長パターンを変更する補正はメディアの種類によってその影響度が変わってくることを防止する。【解決手段】  記録媒体の種類を判別してハーフトーニングを変更する。【選択図】        図６
2007062037.tif 000002
【特許請求の範囲】
【請求項１】
記録媒体の種類を判別する記録媒体判別手段と、
前記記録媒体判別手段からの情報によりハーフトーニングを変更する変更手段とを有することを特徴とする画像形成装置。
【請求項２】
記録媒体の種類を判別する記録媒体判別手段と、
前記記録媒体判別手段からの情報によりハーフトーニングを変更する変更手段とを有し、前記記録媒体判別手段と前記ハーフトーニングを変更する変更手段が自動的に実施される画像形成装置において、
前記記録媒体判別手段によって判別された記録媒体に対応する最適な前記ハーフトーニングをネットワークを介してサーバーからダウンロードし、変更することを特徴とする画像形成装置。
【請求項３】
記録媒体の種類を判別する記録媒体判別手段と、
前記記録媒体判別手段からの情報により特殊な記録媒体であるかを判別する特殊記録媒体判別機構と、
前記特殊記録媒体判別機構からの情報により、最適ハーフトーニング判定を実施するかを判断する判断手段と、
前記判断手段の情報により、複数のハーフトーニングをネットワークを介してサーバーからダウンロードし、前記複数のハーフトーニングを用いた画像を形成する複数のハーフトーニング画像形成手段と、
前記複数のハーフトーニング画像を読み取る読み取り手段と、
前記読み取り手段からの情報を演算する演算手段と、
前記演算手段からの情報により最適なハーフトーニングを選択する選択手段と、
を有することを特徴とする画像形成装置。
【請求項４】
ユーザーからの指示により、最適ハーフトーニング判定を実施するかを判断する判断手段と、
前記判断手段の情報により、複数のハーフトーニングをネットワークを介してサーバーからダウンロードし、前記複数のハーフトーニングを用いた画像を形成する複数のハーフトーニング画像形成手段と、
前記複数のハーフトーニング画像を読み取る読み取り手段と、
前記読み取り手段からの情報を演算する演算手段と、
前記演算手段からの情報により最適なハーフトーニングを選択する選択手段と、
を有することを特徴とする画像形成装置。
【請求項５】
記録媒体の種類を判別する記録媒体判別手段と、
前記記録媒体判別手段からの情報により、レーザＰＷＭの成長パターン、成長方向および補正量をネットワークを介してサーバーからダウンロードし、前記レーザＰＷＭの成長パターン、成長方向および補正量を自動的に変更することを特徴とする画像形成装置。
【請求項６】
前記記録媒体判別手段とは、少なくとも画像の表面性を検出することを特徴とする請求項１ないし５のいずれかに記載の画像形成装置。
【請求項７】
前記ハーフトーニングとは、マトリクスを用いた画像処理であって、スクリーン線数と中間調における１ドット打ち込みレベル変更のうち少なくとも一つを含むことを特徴とする請求項１ないし５のいずれかに記載の画像形成装置。
【請求項８】
前記最適なハーフトーニングを選択する選択手段は、周波数解析を行うことを特徴とする請求項１ないし５のいずれかに記載の画像形成装置。
【請求項９】
前記サーバーはネットワークにより接続されたサービスセンターのサーバーであることを特徴とする請求項１ないし５のいずれかに記載の画像形成装置。
【請求項１０】
前記記録媒体判別手段により装置内に記憶している紙種以外の紙種であると判別された場合、その紙種の情報をネットワークを介してサーバーからダウンロードすることを特徴とする請求項１ないし５のいずれかに記載の画像形成装置。
【請求項１１】
前記記録媒体の情報は、新しい紙種が増えるごとにネットワークを介してサーバーからダウンロードし、更新されることを特徴とする請求項１ないし５のいずれかに記載の画像形成装置。
【請求項１２】
前記記録媒体の種類に対する前記最適なハーフトーニングの組み合わせを前記画像形成装置からネットワークを介して前記サービスセンターのサーバーにアップロードすることを特徴とする請求項１ないし５のいずれかに記載の画像形成装置。
【請求項１３】
前記記録媒体の種類に対する前記最適なレーザＰＷＭの成長パターン、成長方向および補正量の組み合わせを前記画像形成装置からネットワークを介して前記サービスセンターのサーバーにアップロードすることを特徴とする請求項１ないし５のいずれかに記載の画像形成装置。
【発明の詳細な説明】
【技術分野】
【０００１】
本発明は画像処理装置およびその制御方法に関し、例えば、電子写真プロセスにより画像を形成する画像処理装置およびその制御方法に関する。
【背景技術】
【０００２】
従来、複写機やプリンタに代表される画像形成装置で使用されるメディア（用紙）の種類は、ユーザーによって様々であるが、ある特殊分野を除いて次のように分類することができる。
【０００３】
１．再生紙（粗悪紙）→低品質（オフィス内部確認用途）
２．上質紙（普通紙）→中品質（オフィスお客様提出用途）
３．コート紙＆アート紙→高品質（印刷同等レベル品位）
４．ＣＡＳＴコート（高光沢）紙→写真画質
【０００４】
このように用紙の種類に応じて使用用途が決まっているにもかかわらず、ハーフトーニング手法としては各メディアに対して同じ処理を施す機械が多かった。ユーザーによって用紙の種類を選択し、ハーフトーニングを変更することができる機械もあるが、ユーザーが用紙の種類を入力しなければならず、実際に搭載されている用紙種とは異なっていたり、その機能があることすら知らずに出力しているユーザーも多い。
【０００５】
また装置の高速化、高画質化に伴い、画像データのクロック周波数が高くなるためレーザの立ち上がり／立下り特性の悪化が画像に影響を及ぼす。これを補正するために、濃度パターンに基づいてレーザＰＷＭの成長方向や成長パターンを変更し補正を行うことで、文字画像はシャープに、中間調画像は濃度ムラを減少させている（特許文献１参照）。しかしこの補正に関してもメディアの種類によってその影響度が変わってくる。例えば、コート紙でシャープにくっきりと画像を描くようなレーザＰＷＭパターンを選択した時、同じパターンで普通紙に画像を描くと、エッジがぼやけた感じになり、濃度も薄くなるという現象が起こる。しかし、現状はどのメディアでもそれなりの画像が出せるようなパターン１種類を決めており、メディアに応じて処理を変えるようなことはしていない。
【特許文献１】特開平５−２４４３９９号公報（第４０段落以降、図２）
【発明の開示】
【発明が解決しようとする課題】
【０００６】
しかし、更なる高画質化が求められることを考えると、各メディアに対応した最適な画像処理およびレーザＰＷＭの補正をユーザーが特に意識することなく実施する必要がある。そこで紙種を判断して、最適ハーフトーニングおよびレーザＰＷＭの成長方向、成長パターンを変更し、最適化を自動化する方法が考えられる。次に、全ての紙種に最適な画像形成を行うためのディザマトリクス、レーザＰＷＭの成長パターン、方向は膨大な情報量になるため、全ての情報を装置内のメモリに記憶しておくことは難しい。また、年々追加される新たな紙種に対応することも難しい。
【０００７】
本発明は上述の問題点に鑑み、紙種に対して最適なハーフトーニング、レーザＰＷＭの補正を行い、高画質を実現しつつ、装置内のメモリ容量の軽減を図ることのできる画像形成装置の提供を目的としている。
【課題を解決するための手段】
【０００８】
前記問題点を解決するために、本発明では、記録媒体の種類を判別する記録媒体判別手段と、前記記録媒体判別手段からの情報によりハーフトーニングを変更する変更手段とを有する画像形成装置を提供する。
【０００９】
又、記録媒体の種類を判別する記録媒体判別手段と、前記記録媒体判別手段からの情報によりハーフトーニングを変更する変更手段とを有し、前記記録媒体判別手段と前記ハーフトーニングを変更する変更手段が自動的に実施される画像形成装置において、前記記録媒体判別手段によって判別された記録媒体に対応する最適な前記ハーフトーニングをネットワークを介してサーバーからダウンロードし、変更することを特徴とする。
【００１０】
記録媒体の種類を判別する記録媒体判別手段と、前記記録媒体判別手段からの情報により特殊な記録媒体であるかを判別する特殊記録媒体判別機構と、前記特殊記録媒体判別機構からの情報により、最適ハーフトーニング判定を実施するかを判断する判断手段と、前記判断手段の情報により、複数のハーフトーニングをネットワークを介してサーバーからダウンロードし、前記複数のハーフトーニングを用いた画像を形成する複数ハーフトーニング画像形成手段と、前記複数のハーフトーニング画像を読み取る読み取り手段と、前記読み取り手段からの情報を演算する演算手段と、前記演算手段からの情報により最適なハーフトーニングを選択する選択手段とを有する。
【００１１】
ユーザーからの指示により、最適ハーフトーニング判定を実施するかを判断する判断手段と、前記判断手段の情報により、複数のハーフトーニングをネットワークを介してサーバーからダウンロードし、前記複数のハーフトーニング用いた画像を形成する複数ハーフトーニング画像形成手段と、前記複数のハーフトーニング画像を読み取る読み取り手段と、前記読み取り手段からの情報を演算する演算手段と、前記演算手段からの情報により最適なハーフトーニングを選択する選択手段とを有する。
【００１２】
記録媒体の種類を判別する記録媒体判別手段と、前記記録媒体判別手段からの情報により、レーザＰＷＭの成長パターン、成長方向および補正量をネットワークを介してサーバーからダウンロードし、前記レーザＰＷＭの成長パターン、成長方向および補正量を自動的に変更することを特徴とする。
【００１３】
前記記録媒体判別手段とは、少なくとも画像の表面性を検出することを特徴とする。
【００１４】
前記ハーフトーニングとは、マトリクスを用いた画像処理であって、スクリーン線数と中間調における１ドット打ち込みレベル変更のうち少なくとも一つを含むことを特徴とする。
【００１５】
前記最適なハーフトーニングを選択する選択手段は、周波数解析を行うことを特徴とする。
【００１６】
前記サーバーはネットワークにより接続されたサービスセンターのサーバーであることを特徴とする。
【００１７】
前記記録媒体判別手段により装置内に記憶している紙種以外の紙種であると判別された場合、その紙種の情報をネットワークを介してサーバーからダウンロードすることを特徴とする。
【００１８】
前記記録媒体の情報は、新しい紙種が増えるごとにネットワークを介してサーバーからダウンロードし、更新されることを特徴とする。
【００１９】
前記記録媒体の種類に対する前記最適なハーフトーニングの組み合わせを前記画像形成装置からネットワークを介して前記サービスセンターのサーバーにアップロードすることを特徴とする。
【００２０】
前記記録媒体の種類に対する前記最適なレーザＰＷＭの成長パターン、成長方向および補正量の組み合わせを前記画像形成装置からネットワークを介して前記サービスセンターのサーバーにアップロードすることを特徴とする。
【発明の効果】
【００２１】
本発明では、以上のように構成することで、記録媒体の表面性に応じてスクリーンパターン等を選択し、更にネットワークからダウンロードし、自動的に最適化するようにした。これにより、ユーザーが特に意識することなく一般画像から高画質画像まで最適な画質を得ることが可能となる。加えて、すべての紙種に応じた線数や濃度パターンの成長方法やレーザＰＷＭ補正の成長方向や成長パターンのデータを装置内のメモリに記憶する必要がないため、メモリ容量を小さくすることが可能となり、コストダウンを図ることができる。
【００２２】
また新たな紙種に対応する最適なディザを装置本体で自動的に、またはユーザーの指示によって判別する際にも各種データをネットワークからダウンロードすることが可能となるので、メモリ容量を小さくすることが可能である。
【００２３】
さらに紙種データおよび最適ディザパターンデータをネットワークを介してサービスセンターのサーバーへアップロードすることで、ユーザーの使用する紙種の傾向、さらにその紙種に最適なディザパターンは何かというデータを解析することが可能になる。したがって、サービス性の向上を図ることが可能となる。
【発明を実施するための最良の形態】
【００２４】
以下に本発明を実施するための最良の形態を、実施例に基づいて説明する。
【実施例１】
【００２５】
以下、本発明の実施例１における画像形成装置について、図を参照しながら説明する。
【００２６】
図１は本発明を採用した一実施例として示した画像形成装置の断面図を示すものである。
【００２７】
図１において図中１０１が画像形成装置、１０２は用紙カセット、１０３は給紙ローラ、１０４は転写ベルト駆動ローラ、１０５は転写ベルト、１０６〜１０９は潜像像担持体としての感光ドラムを示す。１１０〜１１３は転写手段であるところの転写ローラ、１１４〜１１７はカートリッジ、１１８〜１２１は光学ユニット、１２２は定着装置としての定着ユニット等である。
【００２８】
まず画像形成装置１０１は、電子写真プロセスを用い記録材としての記録紙の上にイエロー、マゼンダ、シアン、ブラックの各色のトナー画像を重ねて転写する。次いで、定着ユニット１２２の定着ローラによって記録紙を所定温度で加熱すると共に加圧することにより、トナー画像を記録紙に定着させる。
【００２９】
各色の光学ユニット１１８〜１２１は、各感光ドラム１０６〜１０９の表面をレーザビームによって露光走査して潜像を形成するように構成される。これら一連の画像形成動作は記録紙上の予め決まった位置から画像が転写されるように同期を取って走査制御している。各感光ドラム１０６〜１０９の表面に形成された潜像画像は、カートリッジ１１４〜１１７に備えられた現像装置によって各色のトナーによってトナー画像として可視化される。
【００３０】
また、画像形成装置１０１は記録紙を給紙及び搬送する給紙モータと、転写ベルト駆動ローラ１０４を駆動する転写ベルト駆動モータと、各色感光ドラム１０６〜１０９及び転写ローラ１１０〜１１３を駆動する感光ドラム駆動モータと、定着ローラを駆動する定着駆動モータとを備えている。これら各モータは、いずれも不図示である。
【００３１】
さらに、画像形成装置１０１は、図２に示す映像読み取りセンサ１２３を備えている。
【００３２】
映像読み取りセンサ１２３は給紙ローラ１０３によって用紙カセット１０２から給紙され搬送される記録紙の表面に光を照射させて、その反射光を集光し結像させて、記録紙のある特定エリアの表面性を表す映像を検出するようになっている。
【００３３】
図示していないが、映像読み取りセンサ１２３は用紙カセット１０２内に配置され、用紙カセット１０２内にセットされた記録紙の表面に光を照射させてその反射光を集光し結像させ、記録紙のある特定エリアの表面性を表す映像を検出する構成としてもよい。
【００３４】
その場合は、映像読み取りセンサ１２３がセットされた用紙から決められた所定の位置になるように移動する機構を設ければ、記録紙表面の凹凸を鮮明にチェックすることができる。
【００３５】
次に図２を用いて映像読み取りセンサ１２３の構造について説明する。
【００３６】
映像読み取りセンサ１２３は図２に示すように光源としてのＬＥＤ３３、読み取り手段としてのＣＭＯＳセンサ３４、結像レンズ３５、３６等を有している。
【００３７】
ＬＥＤ３３の光はレンズ３５を介して、記録紙搬送ガイド３１上の記録紙３２表面に照射される。
【００３８】
記録紙３２からの反射光は、レンズ３６を介して集光されＣＭＯＳセンサ３４に結像される。これによって記録紙３２の表面映像を読み取る。
【００３９】
図３は映像読み取りセンサ１２３によって読み取られる記録紙の種類と出力データの関係を示す図である。
【００４０】
図３において記録紙Ａ４０は記録材の表面の繊維がかなりがさついている粗悪紙いわゆる再生紙の表面拡大映像である。また、記録紙Ｂ４１は記録材の表面の繊維が比較的がさついている上質紙いわゆる普通紙の表面拡大映像であり、記録紙Ｃ４２は記録材の表面の繊維が十分圧縮されてコーティングされているコート紙の表面拡大映像である。
【００４１】
このようにして映像読み取りセンサ１２３によって読み取られた記録紙の表面映像から得られた表面の表面性（凹凸度）データと予め決められた基準データとを比較する。そして、基準データより記録紙の表面性が粗いか細かいかで、線数や濃度パターンの成長方向を切り替えたり、または映像読み取りセンサ１２３によって読み取られた記録紙の表面映像から得られた表面の表面性（凹凸度）データと紙種情報を対応させ、紙種に応じた線数や濃度パターンの成長方法を切り替えるように構成している。この際、同時に紙種に応じてレーザＰＷＭ補正の成長方向や成長パターンも切り替えることも可能である。
【００４２】
本発明では、記録紙の表面性もしくは紙種情報と、紙種に応じた線数や濃度パターンの成長方法やレーザＰＷＭ補正の成長方向や成長パターンのデータを全て装置内のメモリに持たせることなく、図４に示すように必要な情報のみをネットワークを介してサービスセンターのサーバーからダウンロードし、画像形成を行うことを特徴としている。
【００４３】
以下、本実施例の特徴となる点について説明していく。
【００４４】
ユーザーによって選択されたプリントモード（文字モード，文字／写真モード，写真モードなど）で要求される画像が給紙された記録紙にプリントされた時に得られるように、映像読み取りセンサ１２３によって読み取られた画像解析から判別された紙種に最適なスクリーンが装置内のメモリにあるか判断する。ある場合はそのデータを使用して自動的にハーフトーニングを変更する。ない場合は、ネットワークを介してサービスセンターのサーバーから最適なスクリーンデータを装置内にダウンロードし、そのデータを使用して自動的にハーフトーニングを変更する。
【００４５】
例えば、高精細な画像を得るためには表面が滑らかなメディアに対してプリントするようにし、高精細（高線数）スクリーンを使用することによって粒状感が低減され滑らかな画像が得られることがわかっているが、同じスクリーンを使用して表面の粗いメディアに対してプリントすると高精細（高線数）スクリーンに使用する微小ドットが安定せずかえって粒状感が目立ってしまい高精細（高線数）スクリーンは使用できない。
【００４６】
そこで、表面粗さの度合い（例えば基準レベルを何段階か設ける）によってスクリーンの線数を切り替える（表面が粗くなるほど線数を少なくしていく）ように構成したり、表面の粗いメディアの中でも特に粗いメディア（例えばエンボス紙、レザックなど）に対しては、スクリーンの線数を切り替えるだけでなく、スクリーンに使用するドットの打ち込みレベルを通常より上げて安定した濃いドットを使用するように濃度パターンの成長方法を切り替えて粗悪紙でも確実な転写性を確保するが、使用する紙種も様々なものがあり、すべての紙に対応するデータを本体内のメモリに持つことは難しい。そこで映像読み取りセンサ１２３によって読み取られた画像解析から判別された紙種情報が装置内にない場合、例えば中国製の紙など新たな紙種である場合、それに対応する紙種情報、濃度パターンの成長データをネットワークを介して装置にダウンロードすることで、そのような新たな紙種に対しても確実な転写性を確保することができる。
【００４７】
以上、メディア種と画像処理の関係について述べてきたが、高画質化に伴う画像クロックの高速化が進むと、レーザ発光の点灯／消灯タイミングはレーザの特性およびレーザ駆動回路の電流特性により画像クロックのタイミングに対し遅延する場合がある。レーザの発光，消灯特性は、レーザの特性及びレーザ駆動回路の特性により図５の（１）のようになる。図５の（１）は、補正前のレーザ駆動回路が受け取る画像ＰＷＭ信号と、それに対応して発光するレーザの発光，消灯のタイミングを示した図である。発光，消灯遅延特性は図５の（１）のように、レーザ消灯タイミングｃよりもレーザ発光タイミングａの方が遅延するという特性を持っている。このようにレーザ駆動回路が受け取るＰＷＭ画像信号と、レーザ発光パルスのパルス幅が同じにならないため、本来画像が形成されるべき場所に画像が形成されないという現象が生じてくる。それを補正するために従来、入力画像データのパターンに応じて補正データの付加（左右成長，中央成長など）を行っていた（図５の（２）参照）が、メディアの種類によって影響の出方が変わってくるので補正方法をメディアの種類に応じて切り替える際のＰＷＭ成長方向、パターンをネットワークを介してダウンロードする機能も本発明では含んでいる。
【００４８】
図６を用いて補正方法の切り替えに関して一例を説明すると、メディアがコート紙などのように表面が滑らかな場合、画像はシャープでかつ濃度が濃く表現することができるので補正（ビット付加）は最小限で画像を再現することができる。しかし、同じ補正（ビット付加）で粗悪紙などの表面の粗いメディアに画像を形成すると、ぼやけた感じでかつ濃度が薄くなってしまうため、画像パルス幅を太らせるようにオフセットビットを付加する。このオフセットビットの付加量をメディアの表面粗さに応じて切り替えるようにするが、やはりすべての紙に対応するデータを全て装置内のメモリに持つことは難しい。そこで様々な紙種に応じたＰＷＭ成長方向、パターンをネットワークを介してダウンロードすることで、すべての紙に最適な画像形成を行うことが可能となる。
【００４９】
このように構成することで、ユーザーが特に意識することなく使用する用紙に最適なスクリーン処理等の処理が選択され、一般画像から高画質画像まで最適な画質を得ることが可能となる。
【００５０】
また、すべての紙種に応じた線数や濃度パターンの成長方法やレーザＰＷＭ補正の成長方向や成長パターンのデータを装置内のメモリに記憶する必要がないため、メモリ容量を小さくすることが可能となり、コストダウンを図ることができる。
【００５１】
ユーザーがすべての紙を使用するわけではなく、ユーザーに応じてよく使用する紙も異なってくる。本発明では小さなメモリ容量で使用する紙種に応じた必要最小限の各種補正データをダウンロードすることが可能になるので、ユーザー毎のカスタマイズも自動的に行うことができる。
【実施例２】
【００５２】
本実施例に特徴的な点について、図７を用いて説明する。基本的な構成は、実施例１と同じであるので、異なる点についてのみ明記する。
【００５３】
本実施例では、図７に記載するように、定着装置の後に映像読み取りセンサ１２４を配置した上で、ユーザーからの指示に基づいて、映像読み取りセンサ１２３でメディアの種類を判別した後、図８に示すように保有している全てのディザでパッチを出力し、メディア上に転写および定着されたパッチ画像を映像読み取りセンサ１２４で読み取り、そのパッチ画像の粒状感でそのメディアに最適なディザを判断するメディア別最適ディザ選択キャリブレーション機能を持つことを特徴としている。
【００５４】
以下、粒状感の評価について説明する。粒状感の評価に、本実施例では、ＦＦＴ（高速フーリエ変換）およびＶＴＦフィルタを用いる。中間調サンプル画像を、６００ｄｐｉのＲＧＢ信号として画像処理装置に入力する。そして、粒状感を与えるのは明度成分であるから、ＲＧＢ信号からＬ＊成分を抽出して、ＦＦＴにより周波数成分に変換する。得られた周波数成分上においてＶＴＦフィルタ処理を行い、視覚的に認識されない高周波成分をカットする。高周波成分をカットした周波数成分にＩＦＦＴ（高速逆フーリエ変換）を施して、実空間の画像に戻し、その標準偏差を求めれば、その画像に対する粒状感を数値（粒状度）として把握することができる。粒状感の強い画像は、明度にばらつきがある画像で、標準偏差値が大きい。
【００５５】
本実施例で使用するＶＴＦフィルタには視認距離３０ｃｍのものを用いる。上記一連の処理を式で示すと下式のようになる。
【００５６】
Ｇ１＝√［｛Σ（Ｐｉｊ−Ｐａ）２｝／（Ｎ２−１）］
Ｐａ＝（ΣＰｉｊ）／Ｎ２
Ｐ’ｉｊ＝ＩＦＦＴ｛ＦＦＴ（Ｐｉｊ）ΣＶ（ｆ）｝
Ｖ（ｆ）＝５．０５×ｅｘｐ（−０．１３８ｆ）×｛１−ｅｘｐ（−０．１ｆ）｝
ここで、Ｇ１：粒状度
Ｐａ：ＦＦＴ後の画像データの平均値
Ｐ’ｉｊ：ＩＦＦＴ後の画像データ
Ｖ（ｆ）：ＶＴＦフィルタ
またΣ演算はｉ，ｊ＝１からＮまで
【００５７】
画像信号が５０Ｈの時に孤立ドットと複数ドットの塊がバランスよく混在するため、パッチ画像としては５０Ｈの画像を評価サンプルとする。
【００５８】
実験結果から、粒状度が０．４０以上でがさつき感および文字や線画の画質低下を招き、０．１０以上０．４０未満であれば、文字や線画の画質は劣化しないががさつき感は残り、粒状度が０．１０未満であれば文字や線画の画質劣化もおきないし、がさつき感も発生しないことがわかっている。
【００５９】
そこで装置で保有している全てのディザでパッチを出力し、読み取ったパッチ画像の粒状度が０．１０未満（複数ある場合は一番小さい物）となるディザをそのメディアおよび画像モードに対応する最適ディザとして選択する。また、読み取ったパッチ画像の粒状度が０．１０以上の場合、ネットワークを介して別のディザパターンを装置内にダウンロードし、そのディザパターンでパッチを出力して、読み取ったパッチ画像の粒状度が０．１０未満（複数ある場合は一番小さい物）となるディザをそのメディアおよび画像モードに対応する最適ディザとして選択、記憶することを特徴としている。
【００６０】
特に明記していないが、本実施例にはＰＷＭの成長パターン、方向との組み合わせによりパッチ画像の粒状度を判定するキャリブレーション機能も含まれる。
【００６１】
このキャリブレーション機能は、映像読み取りセンサ１２３でメディアの種類を判別した後、装置が新たな特殊紙であると判断した際に自動的に行われてもよいし、ユーザーからの調整指示によって行われてもよい。
【００６２】
本実施例の場合、新たな紙種に対応する最適なディザを装置本体で判別することが可能となるので、その際の紙種データおよび最適ディザパターンデータをネットワークを介してサービスセンターのサーバーへアップロードすることで、ユーザーの使用する紙種の傾向、さらにその紙種に最適なディザパターンは何かというデータを解析することが可能になり、サービス性の向上を図ることが可能となる。
【００６３】
以上のように本発明の実施例１では記録媒体の表面性に応じてスクリーンパターン等を切り替え最適化するため、ユーザーが特に意識することなく使用する用紙に最適なスクリーン処理等の処理が選択され、一般画像から高画質画像まで最適な画質を得ることが可能となる。
【００６４】
また、すべての紙種に応じた線数や濃度パターンの成長方法やレーザＰＷＭ補正の成長方向や成長パターンのデータを装置内のメモリに記憶する必要がないため、メモリ容量を小さくすることが可能となり、コストダウンを図ることができる。
【００６５】
ユーザーがすべての紙を使用するわけではなく、ユーザーに応じてよく使用する紙も異なってくる。本発明では小さなメモリ容量で使用する紙種に応じた必要最小限の各種補正データをダウンロードすることが可能になるので、ユーザー毎のカスタマイズも自動的に行うことができる。
【００６６】
さらに実施例２では、新たな紙種に対応する最適なディザを装置本体で判別することが可能となるので、その際の紙種データおよび最適ディザパターンデータをネットワークを介してサービスセンターのサーバーへアップロードすることで、ユーザーの使用する紙種の傾向、さらにその紙種に最適なディザパターンは何かというデータを解析することが可能になり、サービス性の向上を図ることが可能となる。
【図面の簡単な説明】
【００６７】
【図１】本発明の実施例１における画像形成装置の断面図
【図２】実施例１における読み取り手段の概略構成を示す図
【図３】読み取り手段で読み取った記録材の表面と、読み取り手段からの出力をデジタル処理した時の関係を示す模式図
【図４】実施例１、２を示す構成概略図
【図５】画像ＰＷＭ信号と、レーザ発光／消灯タイミングを示すタイミング図
【図６】メディアに応じた画像入力データに対するパルス幅データの変換テーブルを示す図
【図７】実施例２を示す画像形成装置の断面図
【図８】装置内にもつ全てのディザによるパッチ画像の一例を示す図
【符号の説明】
【００６８】
３２  記録材、記録紙
３３  ＬＥＤ
３４  ＣＭＯＳセンサ
３５，３６  レンズ
１０１  画像形成装置
１２３  記録媒体表面読み取り用映像読み取り手段
１２４  出力パッチ読み取り用映像読み取り手段
【図１】
2007062037.tif 000003
【図２】
2007062037.tif 000004
【図３】
2007062037.tif 000005
【図４】
2007062037.tif 000006
【図５】
2007062037.tif 000007
【図６】
2007062037.tif 000008
【図７】
2007062037.tif 000009
【図８】
2007062037.tif 000010